(57)【要約】【課題】室内側から室外側に加圧されたときに、障子の戸先が外れるのを簡単かつ安価に防止することができる開口部装置を提供する。【解決手段】この引違いサッシは、枠体Ａと障子Ｂとを備え、枠体Ａの縦枠２３にガイド突条３１が設けられているとともに、戸先側縦框４３の上下方向中間部に中間戸当たりピース５５が取り付けられ、中間戸当たりピース５５は、室内外方向に延びる突き当て面５６と、この突き当て面５６の枠体Ａの縦枠２３寄りの位置に形成され、縦枠２３に向かうにつれて次第に室内側に向かう斜状面５７と、突き当て面５６と斜状面５７との間に形成され、突き当て面５６から斜状面５７に向かうにつれて次第に室外側に向かう斜面５８とを備えており、障子Ｂを閉める際にガイド突条３１に中間戸当たりピース５５の斜状面５７が当たって戸先側縦框４３を室内側に寄せるようにしている。【選択図】      図６
2004308241.tif 000002
【特許請求の範囲】
【請求項１】
枠体と、この枠体内に左右方向に移動可能に収納された障子とを備え、前記障子の戸先側縦框と対向する前記枠体の縦枠に、ガイド突条が設けられているとともに、前記戸先側縦框の上下方向中間部に、中間戸当たりピースが取り付けられ、前記中間戸当たりピースは、室内外方向に延びる突き当て面と、この突き当て面の前記枠体の前記縦枠寄りの位置に形成され、前記縦枠に向かうにつれて次第に室内側に向かう斜状面と、前記突き当て面と前記斜状面との間に形成され、前記突き当て面から前記斜状面に向かうにつれて次第に室外側に向かう斜面とを備えており、前記障子を閉める際に前記ガイド突条に前記中間戸当たりピースの斜状面が当たって前記戸先側縦框を室内側に寄せるようにしていることを特徴とする開口部装置。
【請求項２】
前記戸先側縦框の上下両端部にそれぞれ、上部戸当たりピースおよび下部戸当たりピースが取り付けられ、これらの上部戸当たりピースおよび下部戸当たりピースは、室内外方向に延びる突き当て面と、この突き当て面の前記枠体の前記縦枠寄りの位置に形成され、前記縦枠に向かうにつれて次第に室内側に向かう斜状面と、前記突き当て面と前記斜状面との間に形成され、前記突き当て面から前記斜状面に向かうにつれて次第に室外側に向かう斜面とを備えていることを特徴とする請求項１に記載の開口部装置。
【発明の詳細な説明】
【０００１】
【発明の属する技術分野】
本発明は、引き違い障子または片引き障子等のように左右方向に移動可能な障子が枠体内に収納された開口部装置に関する。
【０００２】
【従来の技術】
この種の開口部装置の一つとして、従来、例えば、図７に示す引違いサッシが知られている（例えば、特許文献１参照）。
この引違いサッシは、枠体１と、この枠体１内に左右方向に移動可能に収納された外障子２および内障子３とを備えている。外障子２および内障子３の各戸先側縦框４、５と対向する枠体１の縦枠６、７にはそれぞれ、ガイド突条８、９が設けられている。各戸先側縦框４、５の上下両端部および上下方向中間部にはそれぞれ、上部、下部戸当たりピース（図示せず）および中間戸当たりピース１０が取り付けられている。
【０００３】
中間戸当たりピース１０は、室内外方向に延びる突き当て面１１と、枠体１の縦枠６、７に向かうにつれて次第に室内側に向かう湾曲した斜状面１２とを備えており、これらの突き当て面１１と斜状面１２とが障子の移動方向に沿って延びる水平面１３を介して接続されている。上部および下部戸当たりピースも中間戸当たりピースと同様に形成されている。そして、外障子２あるいは内障子３を閉める際に、枠体１の縦枠６、７のガイド突条８、９に、上部、下部戸当たりピースおよび中間戸当たりピース１０の斜状面が当たって各戸先側縦框４、５を室内側に寄せるようになっている。
【０００４】
【特許文献１】
特公平７−１０９１５１号公報
【０００５】
【発明が解決しようとする課題】
ところで、このような引違いサッシにおいては、図８に示すように、室外側が負圧になるなどして室内側から室外側に加圧されると、障子全体が室外側に突出するように湾曲する。障子全体は中心部に向かうにつれて漸次変形量が大きくなる。このように外障子２および内障子３が湾曲すると、図９に示すように、中間戸当たりピース１０が傾斜状態となるので、縦枠６のガイド突条８に中間戸当たりピース１０の水平面１３が線接触の状態で押し当てられる。そうすると、縦枠６が開くとともに、中間戸当たりピース１０からガイド突条８に加えられる荷重Ｆが分散され、外障子２の面内方向に分力が生じて、外障子２の戸先が外れ易いという問題がある。一方、縦枠６の強度を向上させて、縦枠６が開くのを防止して、外障子２の戸先が外れるのを防ぐことが考えられるが、この場合には縦枠６の製造コストが上昇してしまう。内障子３についても同様である。
【０００６】
本発明は、このような事情に鑑みて為されたもので、室内側から室外側に加圧されたときに、障子の戸先が外れるのを簡単かつ安価に防止することができる開口部装置を提供することを目的とする。
【０００７】
【課題を解決するための手段】
上記目的を達成するために、請求項１に記載の開口部装置は、枠体と、この枠体内に左右方向に移動可能に収納された障子とを備え、前記障子の戸先側縦框と対向する前記枠体の縦枠に、ガイド突条が設けられているとともに、前記戸先側縦框の上下方向中間部に、中間戸当たりピースが取り付けられ、前記中間戸当たりピースは、室内外方向に延びる突き当て面と、この突き当て面の前記枠体の前記縦枠寄りの位置に形成され、前記縦枠に向かうにつれて次第に室内側に向かう斜状面と、前記突き当て面と前記斜状面との間に形成され、前記突き当て面から前記斜状面に向かうにつれて次第に室外側に向かう斜面とを備えており、前記障子を閉める際に前記ガイド突条に前記中間戸当たりピースの斜状面が当たって前記戸先側縦框を室内側に寄せるようにしていることを特徴とする。
【０００８】
請求項１に記載の発明においては、室外側が負圧になるなどして室内側から室外側に加圧されて、障子が室外側に突出するように湾曲し、この障子の変形に伴って障子の中間戸当たりピースが傾斜状態となると、枠体の縦枠のガイド突条に、障子の中間戸当たりピースの斜面が面接触の状態で押し当てられる。そうすると、中間戸当たりピースからガイド突条に加えられる荷重が分散されず、障子の面内方向に分力が生じないので、障子の戸先が外れ難くなる。したがって、枠体の縦枠の強度を高めることなく、障子の戸先が外れるのを簡単かつ安価に防止することができる。
【０００９】
請求項２に記載の開口部装置は、請求項１に記載の発明において、前記戸先側縦框の上下両端部にそれぞれ、上部戸当たりピースおよび下部戸当たりピースが取り付けられ、これらの上部戸当たりピースおよび下部戸当たりピースは、室内外方向に延びる突き当て面と、この突き当て面の前記枠体の前記縦枠寄りの位置に形成され、前記縦枠に向かうにつれて次第に室内側に向かう斜状面と、前記突き当て面と前記斜状面との間に形成され、前記突き当て面から前記斜状面に向かうにつれて次第に室外側に向かう斜面とを備えていることを特徴とする。
【００１０】
請求項２に記載の発明においては、室外側が負圧になるなどして室内側から室外側に加圧されて、障子が室外側に突出するように湾曲し、この障子の変形に伴って障子の上部戸当たりピースおよび下部戸当たりピースが傾斜状態となると、枠体の縦枠のガイド突条に、これらの上部当たりピースおよび下部戸当たりピースの各斜面が面接触の状態で押し当てられる。したがって、障子の戸先がさらに外れ難くなる。
【００１１】
【発明の実施の形態】
以下、添付した図面を参照しながら、本発明の実施の形態を説明する。
図１は、本発明の実施の形態に係る引違いサッシを示す横断面図であり、図２は縦断面図である。
この引違いサッシ（開口部装置）は、断熱サッシであって、枠体Ａと、この枠体Ａ内に左右方向に移動可能に収納された外障子（障子）Ｂ、内障子（障子）Ｃおよび網戸Ｄとを備えている。
【００１２】
枠体Ａは、上枠２１、下枠２２およびアルミニウム合金製の押出形材からなる左右の縦枠２３、２４により方形に組み立てられて構成されている。上枠２１および下枠２２はそれぞれ、アルミニウム合金製押出形材からなる室外側枠材２１ａ、２２ａおよび室内側枠材２１ｂ、２２ｂと、これらの間にそれぞれかしめにより固定されて介在された硬質ゴムあるいは合成樹脂等からなるブリッジ材２１ｃ、２２ｃとにより構成されている。上枠２１、下枠２２および縦枠２３、２４の室内側にはそれぞれ、合成樹脂製アングル２６、２７、２８、２９が設けられて、枠体Ａの断熱性が高められている。
【００１３】
左側の縦枠２３には、室外側寄りに、面内側に突出しかつ上下方向に連続的に延びるガイド突条３１が一体に形成され、一方右側の縦枠２４には、室内側寄りに、面内側に突出しかつ上下方向に連続的に延びるガイド突条３２が一体に形成されている。
【００１４】
外障子Ｂは、アルミニウム合金製の押出形材からなる上框４１、下框４２、戸先側縦框４３および召し合わせ縦框４４と、これらの上框４１、下框４２および戸先側縦框４３の室内側にそれぞれ配設された合成樹脂製枠部材４６、４７、４８とにより方形の框組体５０が組み立てられ、この框組体５０に複層ガラス５１が組み込まれて構成されている。このように、この外障子Ｂは、室内側に合成樹脂製枠部材４６、４７、４８を配置して高性能断熱を実現するとともに、室内側のインテリア性を高めた障子とされている。
【００１５】
図３に示すように、戸先側縦框４３の上下両端部にはそれぞれ、上部戸当たりピース５３および下部戸当たりピース５４が取り付けられているとともに、上下方向中間部には、間隔をおいて２個の中間戸当たりピース５５、５５が取り付けられている。
図１および図４に示すように、中間戸当たりピース５５は、戸先側縦框４３および合成樹脂製枠部材４８に嵌合されて固定されている。中間戸当たりピース５５をより強固に固定するために、戸先側縦框４３にねじ止めするようにしてもよい。中間戸当たりピース５５は、合成樹脂で概略Ｌ字板状に形成されたものであって、室内外方向に延びる突き当て面５６と、この突き当て面５６の枠体Ａの左側の縦枠２３寄りの位置に形成され、縦枠２３に向かうにつれて次第に室内側に向かう湾曲した斜状面５７と、突き当て面５６と斜状面５７との間に形成され、突き当て面５６から斜状面５７に向かうにつれて次第に室外側に向かう斜面５８とを備えている。
上部戸当たりピース５３および下部戸当たりピース５４は、中間戸当たりピース５５と同様に形成され、戸先側縦框４３および合成樹脂製枠部材４８に嵌合されかつねじ止めされて固定されている。
【００１６】
これらの上部戸当たりピース５３、下部戸当たりピース５４および中間戸当たりピース５５は、外障子Ｂを閉める際に、縦枠２３のガイド突条３１にこれらの上部戸当たりピース５３、下部戸当たりピース５４および中間戸当たりピース５５の各斜状面５７が当たって戸先側縦框４３を室内側に寄せるようになっており、外障子Ｂが完全に閉められた状態では、上部戸当たりピース５３、下部戸当たりピース５４および中間戸当たりピース５５の各突き当て面５６がガイド突条３１の先端に突き当てられる。
【００１７】
内障子Ｃは、外障子Ｂと同様に構成されている。すなわち、アルミニウム合金製の押出形材からなる上框６１、下框６２、戸先側縦框６３および召し合わせ縦框６４と、これらの各框の室内側にそれぞれ配設された合成樹脂製枠部材６６、６７、６８、６９とにより方形の框組体７０が組み立てられ、この框組体７０に複層ガラス５１が組み込まれている。このように、この内障子Ｃも、室内側に合成樹脂製枠部材６６、６７、６８、６９を配置して高性能断熱を実現するとともに、室内側のインテリア性を高めた障子とされている。
【００１８】
内障子Ｃの戸先側縦框６３にも、外障子Ｂと同様にして、上部戸当たりピース５３、下部戸当たりピース５４および２つの中間戸当たりピース５５が取り付けられており、内障子Ｃを閉める際に、枠体Ａの右側の縦枠２４のガイド突条３２にこれらの上部戸当たりピース５３、下部戸当たりピース５４および中間戸当たりピース５５の各斜状面５７が当たって戸先側縦框６３を室内側に寄せるようになっており、内障子Ｃが完全に閉められた状態では、上部戸当たりピース５３、下部戸当たりピース５４および中間戸当たりピース５５の各突き当て面５６がガイド突条３２の先端に突き当てられる。
【００１９】
このように構成された引違いサッシにあっては、図５に示すように、室外側が負圧になるなどして室内側から室外側に加圧されて、障子全体が室外側に突出するように湾曲し、このような外障子Ｂおよび内障子Ｃのそり変形に伴って、外障子Ｂおよび内障子Ｃの各中間戸当たりピース５５が傾斜状態となると、図６に示すように、枠体Ａの縦枠２３のガイド突条３１に、外障子Ｂの中間戸当たりピース５５の斜面５８が面接触の状態で押し当てられる。そうすると、中間戸当たりピース５５からガイド突条３１に加えられる荷重Ｆが分散されず、外障子Ｂの面内方向に分力が生じないので、外障子Ｂの戸先が外れ難くなる。上部戸当たりピース５３および下部戸当たりピース５４の部分についても同様である。なお、外障子Ｂの上下方向中間部の方が、上部および下部よりもそり変形が大きくなるので、中間戸当たりピース５５の場合の方が上部戸当たりピース５３および下部戸当たりピース５４よりも大きな荷重が作用する。
【００２０】
内障子Ｃについても、外障子Ｂの場合と同様である。すなわち、内障子Ｃの上部戸当たりピース５３、下部戸当たりピース５４および中間戸当たりピース５５が傾斜状態となると、枠体Ａの縦枠２４のガイド突条３２に、内障子Ｃの各戸当たりピースの斜面５８が面接触の状態で押し当てられるので、内障子Ｃの戸先が外れ難くなる。
したがって、枠体Ａの縦枠２３、２４の強度を高めることなく、外障子Ｂおよび内障子の各戸先が外れるのを簡単かつ安価に防止することができる。
【００２１】
なお、上述の実施の形態では、上部戸当たりピース５３、下部戸当たりピース５４および中間戸当たりピース５５に斜面５８を形成するようにしたが、戸先側縦框４３、６３の上端部および下端部のそり変形は、上下方向中間部よりも小さく、作用する荷重も小さいので、上部戸当たりピース５３および下部戸当たりピース５４には斜面５８を形成せずに、中間戸当たりピース５５にのみ斜面５８を形成するようにしてもよい。
【００２２】
また、上述の実施の形態では、各戸当たりピースの各斜状面５７を曲面で形成したが、平面（斜面）で形成するようにしてもよい。また、各戸当たりピースの各斜面５８は、平坦であってもよいし、一部または全面に凹所や溝等が形成されていてもよい。要は、外障子Ｂおよび内障子Ｃのそり変形に伴って、各戸当たりピースが傾斜状態となったときに、斜面５８がガイド突条３１，３２に実質的に面接触の状態で押し当てられるようであればよい。
【００２３】
また、上述の実施の形態では、金属と合成樹脂とからなる複合サッシに適用した場合について説明したが、本発明は、金属製サッシあるいは合成樹脂製サッシ等にも適用することができる。
また、上述の実施の形態では、本発明を外障子Ｂおよび内障子Ｃを備えた２枚建ての引違いサッシに適用した場合について説明したが、３枚建て、４枚建ての引違いサッシ等に本発明を適用することができ、さらに片引きサッシ等にも適用することができる。
【００２４】
すなわち、本発明は、枠体とこの枠体内に左右方向に移動可能に収納された障子とを備え、前記障子の戸先側縦框と対向する前記枠体の縦枠にガイド突条が設けられているとともに、前記戸先側縦框に戸当たりピースが取り付けられている開口部装置に適用することができる。
【００２５】
【発明の効果】
以上説明したように、請求項１に記載の開口部装置によれば、室内側から室外側に加圧されて、障子が室外側に突出するように湾曲し、障子の中間戸当たりピースが傾斜状態となると、枠体の縦枠のガイド突条に、障子の中間戸当たりピースの斜面が面接触の状態で押し当てられるので、中間戸当たりピースからガイド突条に加えられる荷重が分散されず、障子の面内方向に分力が生じないため、障子の戸先が外れ難くなる。したがって、枠体の縦枠の強度を高めることなく、障子の戸先が外れるのを簡単かつ安価に防止することができる。
【００２６】
請求項２に記載の開口部装置によれば、戸先側縦框の上下両端部の上部戸当たりピースおよび下部戸当たりピースに、斜面が形成されているので、室内側から室外側に加圧されたときに、障子の戸先が外れるのをさらに防止することができる。
【図面の簡単な説明】
【図１】本発明の実施の形態に係る引違いサッシを示す図であって、横断面図である。
【図２】同、縦断面図である。
【図３】戸先側縦框への上部戸当たりピース、下部戸当たりピースおよび中間戸当たりピースの取り付け状態を示す概略斜視図である。
【図４】中間戸当たりピースを示す斜視図である。
【図５】室内側から室外側に加圧したときの引違いサッシを示す横断面図である。
【図６】図５の要部の拡大図である。
【図７】従来の引違いサッシ横断面図である。
【図８】室内側から室外側に加圧したときの従来の引違いサッシを示す横断面図である。
【図９】図８の要部の拡大図である。
【符号の説明】
Ａ    枠体
Ｂ    外障子（障子）
Ｃ    内障子（障子）
２３、２４    縦枠
３１、３２    ガイド突条
４３、６３    戸先側縦框
５３    上部戸当たりピース
５４    下部戸当たりピース
５５    中間戸当たりピース
５６    突き当て面
５７    斜状面
５８    斜面
【図１】
2004308241.tif 000003
【図２】
2004308241.tif 000004
【図３】
2004308241.tif 000005
【図４】
2004308241.tif 000006
【図５】
2004308241.tif 000007
【図６】
2004308241.tif 000008
【図７】
2004308241.tif 000009
【図８】
2004308241.tif 000010
【図９】
2004308241.tif 000011